(57)【要約】【課題】いずれの方向に排気を行っているのかを視認できる画像形成装置を提供することである。【解決手段】上面Ｓ１、背面Ｓ２及び右面Ｓ３を有する本体１２と、上面Ｓ１、背面Ｓ２及び右面Ｓ３により構成される角部に設けられ、本体１２内の空気を排出する排気口１６が設けられている回転体１４と、を備えており、排気口１６が向いている方向が上面Ｓ１の法線方向、背面Ｓ２の法線方向及び右面Ｓ３の法線方向に切り替えられることができるように、回転体１４が本体１２に対して回転可能に取り付けられていること、を特徴とする画像形成装置１０。【選択図】図４
2014232187.tif 000002
【特許請求の範囲】
【請求項１】
上面、該上面に隣接する第１の面、及び、該上面及び該第１の面に隣接する第２の面を有する本体と、
前記上面、前記第１の面及び前記第２の面により構成される角部に設けられ、前記本体内に空気を導入する吸気口又は該本体内の空気を排出する排気口が設けられている回転体と、
を備えており、
前記吸気口又は前記排気口が向いている方向が前記上面の法線方向、前記第１の面の法線方向及び前記第２の面の法線方向に切り替えられることができるように、前記回転体が前記本体に対して回転可能に取り付けられていること、
を特徴とする画像形成装置。
【請求項２】
前記本体には、外部装置が取り付けられ、
前記画像形成装置は、
前記吸気口又は前記排気口が向いている方向を検出する第１の検出手段と、
第１の通知手段と、
前記吸気口又は前記排気口が向いている方向に前記外部装置が位置している場合には、該吸気口又は該排気口が向いている方向を変更すべき旨を前記第１の通知手段に通知させる第１の制御手段と、
を更に備えていること、
を特徴とする請求項１に記載の画像形成装置。
【請求項３】
前記画像形成装置は、
前記本体内の温度を検出する第２の検出手段と、
第２の通知手段と、
前記本体内の温度が所定温度以上である場合には、該吸気口又は該排気口が向いている方向を変更すべき旨を前記第２の通知手段に通知させる第２の制御手段と、
を更に備えていること、
を特徴とする請求項１又は請求項２のいずれかに記載の画像形成装置。
【請求項４】
前記第２の制御手段は、所定枚数の印刷後に、前記吸気口又は前記排気口が向いている方向を変更すべき旨を前記第２の通知手段に通知させること、
を特徴とする請求項３に記載の画像形成装置。
【請求項５】
前記画像形成装置は、
前記本体内の風速を検出する第３の検出手段と、
第３の通知手段と、
前記本体内の風速が所定風速以下である場合には、前記吸気口又は前記排気口が向いている方向を変更すべき旨を前記第３の通知手段に通知させる第３の制御手段と、
を更に備えていること、
を特徴とする請求項１ないし請求項４のいずれかに記載の画像形成装置。
【請求項６】
前記画像形成装置は、
前記第１の面に対向する障害物の有無を検出する第４の検出手段と、
前記吸気口又は前記排気口が向いている方向を検出する第５の検出手段と、
第４の通知手段と、
前記第１の面に対向する前記障害物が存在し、かつ、前記吸気口又は前記排気口が向いている方向が前記第１の面の法線方向である場合には、該吸気口又は該排気口が向いている方向を変更すべき旨を前記第４の通知手段に通知させる第４の制御手段と、
を更に備えていること、
を特徴とする請求項１ないし請求項５のいずれかに記載の画像形成装置。
【請求項７】
前記回転体には、フィルタを着脱する着脱口が設けられており、
前記回転体が前記本体に対して回転させられることにより、前記着脱口が向いている方向が前記上面の法線方向、前記第１の面の法線方向及び前記第２の面の法線方向に切り替えられること、
を特徴とする請求項１ないし請求項６のいずれかに記載の画像形成装置。
【請求項８】
前記画像形成装置は、
前記第１の面に対向する障害物の有無を検出する第６の検出手段と、
前記着脱口が向いている方向を検出する第７の検出手段と、
第５の通知手段と、
前記第１の面に対向する前記障害物が存在し、かつ、前記着脱口が向いている方向が前記第１の面の法線方向である場合には、前記フィルタの着脱時に、該着脱口が向いている方向を変更すべき旨を前記第５の通知手段に通知させる第５の制御手段と、
を更に備えていること、
を特徴とする請求項７に記載の画像形成装置。
【請求項９】
前記回転体は、直角二等辺三角形状をなす第３の面ないし第５の面及び正三角形状をなす第６の面により構成される四面体をなしており、該第３の面ないし該第５の面により構成される角と該第６の面の重心とを結ぶ線を中心軸として前記本体に対して回転可能に取り付けられており、
前記吸気口又は前記排気口は、前記第３の面に設けられていること、
を特徴とする請求項１ないし請求項８のいずれかに記載の画像形成装置。
【請求項１０】
前記回転体は、直角二等辺三角形状をなす第３の面ないし第５の面及び正三角形状をなす開口面により構成される四面体をなしており、該第３の面ないし該第５の面により構成される角と該開口面の重心とを結ぶ線を中心軸として前記本体に対して回転可能に取り付けられており、
前記吸気口又は前記排気口は、前記第３の面に設けられており、
前記本体には、前記開口面と対向する面から前記中心軸に沿って延在することにより、前記回転体を貫通する第１のダクトが設けられており、
前記第１のダクトには、第１の開口ないし第３の開口が設けられており、
前記回転体内部には、前記吸気口又は前記排気口に繋がる第２のダクトが設けられており、
前記回転体が回転させられることにより、前記第１の開口ないし前記第３の開口のいずれかと前記第２のダクトとの接続が切り替えられること、
を特徴とする請求項１ないし請求項８のいずれかに記載の画像形成装置。
【発明の詳細な説明】
【技術分野】
【０００１】
本発明は、画像形成装置に関し、より詳細には、外部から吸気した空気により本体内部を冷却する画像形成装置に関する。
【背景技術】
【０００２】
従来の画像形成装置に関する発明としては、例えば、特許文献１に記載の画像形成装置が知られている。該画像形成装置では、画像形成装置本体の隣り合う外装面に２つの排気口が設けられている。また、画像形成装置本体内には、整流板が設けられている。該画像形成装置では、整流板を動かすことによって、排気を行う排気口を切り替えることができる。
【０００３】
ところで、特許文献１に記載の画像形成装置では、整流板が画像形成装置本体内に収容されているので、いずれの方向に排気が行われているのかを視認することが難しい。
【先行技術文献】
【特許文献】
【０００４】
【特許文献１】特開２００５−３３８５７２号公報
【発明の開示】
【発明が解決しようとする課題】
【０００５】
そこで、本発明の目的は、いずれの方向に排気を行っているのかを視認できる画像形成装置を提供することである。
【課題を解決するための手段】
【０００６】
本発明の一形態に係る画像形成装置は、上面、該上面に隣接する第１の面、及び、該上面及び該第１の面に隣接する第２の面を有する本体と、前記上面、前記第１の面及び前記第２の面により構成される角部に設けられ、前記本体内に空気を導入する吸気口又は該本体内の空気を排出する排気口が設けられている回転体と、を備えており、前記吸気口又は前記排気口が向いている方向が前記上面の法線方向、前記第１の面の法線方向及び前記第２の面の法線方向に切り替えられることができるように、前記回転体が前記本体に対して回転可能に取り付けられていること、を特徴とする。
【発明の効果】
【０００７】
本発明によれば、いずれの方向に排気を行っているのかを視認できる。
【図面の簡単な説明】
【０００８】
【図１】一実施形態に係る画像形成装置の外観斜視図である。
【図２】一実施形態に係る画像形成装置の外観斜視図である。
【図３】一実施形態に係る画像形成装置の外観斜視図である。
【図４】図１に示した画像形成装置の分解斜視図である。
【図５】画像形成装置のブロック図である。
【図６】画像形成装置の第１の動作において制御部が行う動作を示したフローチャートである。
【図７】画像形成装置の第２の動作において制御部が行う動作を示したフローチャートである。
【図８】画像形成装置の第３の動作において制御部が行う動作を示したフローチャートである。
【図９】画像形成装置の第４の動作において制御部が行う動作を示したフローチャートである。
【図１０】スキャナが装着された画像形成装置の外観斜視図である。
【図１１】画像形成装置の第５の動作において制御部が行う動作を示したフローチャートである。
【図１２】変形例に係る画像形成装置の分解斜視図である。
【図１３】変形例に係る画像形成装置の右後ろの上側に位置する角部近傍の断面構造図である。
【発明を実施するための形態】
【０００９】
以下に、本発明の一実施形態に係る画像形成装置について説明する。
【００１０】
（画像形成装置の構成）
以下に、一実施形態に係る画像形成装置の構成について図面を参照しながら説明する。図１ないし図３は、一実施形態に係る画像形成装置１０の外観斜視図である。図４は、図１に示した画像形成装置１０の分解斜視図である。図５は、画像形成装置１０のブロック図である。以下では、鉛直方向を上下方向と定義する。また、画像形成装置１０を上側から平面視したときに、画像形成装置１０の長手方向を左右方向と定義し、画像形成装置１０の短手方向を前後方向と定義する。
【００１１】
画像形成装置１０は、用紙等の印刷媒体に対してトナー画像を形成する。具体的には、画像形成装置１０は、静電潜像が形成された感光体にトナーを供給してトナー画像を現像し、該トナー画像を印刷媒体に転写した後、印刷媒体に加熱・加圧処理を施してトナー画像を定着させる。なお、トナー画像の形成プロセスは、一般的なプロセスであるので説明を省略する。
【００１２】
画像形成装置１０は、図１ないし図４に示すように、本体１２及び回転体１４を備えている。本体１２は、画像形成装置１０の筐体であり、直方体状をなしている。そのため、本体１２は、上面Ｓ１、下面、右面Ｓ３、左面、前面及び背面Ｓ２を有している。背面Ｓ２は、上面Ｓ１に隣接しており、右面Ｓ３は、上面Ｓ１及び背面Ｓ２に隣接している。また、本体１２は、上面Ｓ１、背面Ｓ２及び右面Ｓ３により構成される角近傍が切り落とされた形状をなしている。以下では、本体１２において、上面Ｓ１、背面Ｓ２及び右面Ｓ３により構成される角近傍が切り落とされることにより形成された面を面Ｓ４と呼ぶ。面Ｓ４は、正三角形状をなしている。
【００１３】
また、本体１２には、吸気部４０、発熱体４２、ダクト４４及び開口４６が設けられている。吸気部４０は、吸気口（図示せず）、ファン及びモータにより構成されており、空気を本体１２内に導入する。吸気口は、本体１２の左面に設けられた円形の開口である。ファン及びモータは、本体１２内において吸気口に隣接するように設けられている。
【００１４】
発熱体４２は、画像形成装置１０の駆動時に熱を発する構成であり、例えば、定着器である。吸気部４０が導入した空気は、発熱体４２の内部又は周囲を通過する。これにより、発熱体４２は、空気により冷却される。
【００１５】
開口４６は、面Ｓ４に設けられた円形の孔である。開口４６の縁は、面Ｓ４の法線方向に僅かに突出している。ダクト４４は、発熱体４２と開口４６とを接続する管である。
【００１６】
回転体１４は、図１ないし図４に示すように、上面Ｓ１、背面Ｓ２及び右面Ｓ３により構成される角部に設けられている。なお、本体１２の上面Ｓ１、背面Ｓ２及び右面Ｓ３により構成される角そのものは、前記の通り切り落とされている。よって、本実施形態では、上面Ｓ１、背面Ｓ２及び右面Ｓ３により構成される角部とは、共通点に向かって収束する上面Ｓ１、背面Ｓ２及び右面Ｓ３の間であって、共通点近傍のスペースを意味する。
【００１７】
回転体１４は、図４に示すように、面Ｓ１１〜Ｓ１４により構成される四面体形状をなしている。面Ｓ１１〜面Ｓ１３は、直角二等辺三角形状をなしている。面Ｓ１４は、面Ｓ４と同じ正三角形状をなしており、回転体１４が本体１２に取り付けられた際に面Ｓ４と一致した状態で対向する。
【００１８】
また、回転体１４には、排気口１６、開口２４、ダクト２６及び着脱口１８が設けられている。開口２４は、面Ｓ１４に設けられた円形の孔である。開口２４は、回転体１４が本体１２に取り付けられた際に、開口４６と連通する。より詳細には、開口４６の縁が開口２４内に挿入される。これにより、開口２４と開口４６とが連通すると共に、回転体１４が本体１２に対して回転可能に取り付けられている。回転体１４は、面Ｓ１１〜Ｓ１３により構成される角と面Ｓ１４の重心とを結ぶ線を中心として回転することができる。
【００１９】
排気口１６は、面Ｓ１１に設けられた円形の開口であり、本体１２内の空気を排出する。ダクト２６は、回転体１４内に設けられ、開口２４と排気口１６とを接続する管である。これにより、発熱体４２の内部又は周囲を通過した空気は、ダクト４４、開口４６、開口２４及びダクト２６を経由し、排気口１６を介して本体１２外に排出される。
【００２０】
着脱口１８は、面Ｓ１２に設けられた長方形状の孔であり、回転体１４へのフィルタ２８（図４参照）を着脱するための開口である。具体的には、フィルタ２８は、着脱口１８を介して回転体１４に挿入される。これにより、フィルタ２８は、ダクト２６を横切るように配置され、ダクト２６内を通過する空気内の粒子を回収する。
【００２１】
以上のように構成された回転体１４は、前記の通り、面Ｓ１１〜Ｓ１３により構成される角と面Ｓ１４の重心とを結ぶ線を中心として本体１２に対して回転することができる。これにより、回転体１４が回転することにより、排気口１６が向いている方向は、図１に示すように背面Ｓ２の法線方向（すなわち、後ろ方向）、図２に示すように、上面Ｓ１の法線方向（すなわち、上方向）又は図３に示すように、右面Ｓ３の法線方向（すなわち、右方向）に切り替えられることができる。これにより、図１に示す状態では、空気は、後ろ方向に向かって排出される。図２に示す状態では、空気は、上方向に向かって排出される。図３に示す状態では、空気は、右方向に向かって排出される。
【００２２】
また、図１に示す状態では、上面Ｓ１と面Ｓ１３とが面一となり、背面Ｓ２と面Ｓ１１とが面一となり、右面Ｓ３と面Ｓ１２とが面一となっている。図２に示す状態では、上面Ｓ１と面Ｓ１１とが面一となり、背面Ｓ２と面Ｓ１２とが面一となり、右面Ｓ３と面Ｓ１３とが面一となっている。図３に示す状態では、上面Ｓ１と面Ｓ１２とが面一となり、背面Ｓ２と面Ｓ１３とが面一となり、右面Ｓ３と面Ｓ１１とが面一となっている。
【００２３】
次に、画像形成装置１０の制御ブロックについて図面を参照しながら説明する。図５は、画像形成装置１０のブロック図である。
【００２４】
画像形成装置１０は、図５に示すように、表示部２０、制御部５０、障害物センサＳｅ１，Ｓｅ２、位置センサＳｅ３、温度センサＳｅ４及び風速センサＳｅ５を備えている。表示部２０は、図１に示すように、本体１２の上面に設けられており、例えば、タッチパネルにより構成されている。表示部２０は、ユーザに対して所定の情報を通知するための通知手段である。
【００２５】
障害物センサＳｅ１は、図１に示すように、本体１２の背面Ｓ２に設けられており、背面Ｓ２に対向する障害物の有無を検出する検出手段である。障害物センサＳｅ２は、図１に示すように、本体１２の右面Ｓ３に設けられており、右面Ｓ３に対向する障害物の有無を検出する検出手段である。障害物センサＳｅ１，Ｓｅ２はそれぞれ、背面Ｓ２又は右面Ｓ３から所定距離内に存在する障害物を検出する。
【００２６】
位置センサＳｅ３は、図４に示すように、面Ｓ４に設けられており、排気口１６及び着脱口１８が向いている方向を検出する。
【００２７】
温度センサＳｅ４は、図４に示すように、ダクト４４内に設けられており、ダクト４４内（すなわち、本体１２内）の空気の温度を検出する。流速センサＳｅ５は、図４に示すように、ダクト４４内に設けられており、ダクト４４内（すなわち、本体１２内）の流速を検出する。
【００２８】
制御部５０は、画像形成装置１０の全体を制御し、例えば、ＣＰＵにより構成されている。また、制御部５０は、障害物センサＳｅ１，Ｓｅ２、位置センサＳｅ３、温度センサＳｅ４及び風速センサＳｅ５の検出結果に基づいて、表示部２０に所定の情報を表示させる。
【００２９】
（画像形成装置の第１の動作）
次に、画像形成装置１０の第１の動作について図面を参照しながら説明する。図６は、画像形成装置１０の第１の動作において制御部５０が行う動作を示したフローチャートである。
【００３０】
制御部５０は、画像形成装置１０が所定枚数以上の印刷を連続して行ったか否かを判定する（ステップＳ１）。画像形成装置１０が所定枚数以上の印刷を連続して行った場合には、本処理はステップＳ２に進む。画像形成装置１０が所定枚数以上の印刷を連続して行っていない場合には、本処理はステップＳ１に戻る。
【００３１】
画像形成装置１０が所定枚数以上の印刷を連続して行った場合、制御部５０は、温度センサＳｅ４にダクト４４内の温度を検出させ、ダクト４４内の温度情報を取得する（ステップＳ２）。
【００３２】
次に、制御部５０は、温度情報に基づいて、ダクト４４内の温度が所定温度以上であるか否かを判定する（ステップＳ３）。ステップＳ３では、排気口１６の前に障害物が存在しているために、本体１２内の空気が排出されず、本体１２内の温度が上昇しているか否かが判定されている。所定温度以上である場合には、本処理はステップＳ４に進む。所定温度以上でない場合には、本処理は終了する。
【００３３】
所定温度以上である場合、制御部５０は、排気口１６が向いている方向を変更すべき旨を表示部２０に表示させる（ステップＳ４）。応じて、ユーザは、回転体１４を回転させて、排気口１６が向いている方向を変更する。この後、本処理は終了する。
【００３４】
第１の動作によれば、排気口１６の前に障害物が存在するために、本体１２内の温度が上昇することが抑制されるようになる。
【００３５】
（画像形成装置の第２の動作）
次に、画像形成装置１０の第２の動作について図面を参照しながら説明する。図７は、画像形成装置１０の第２の動作において制御部５０が行う動作を示したフローチャートである。
【００３６】
制御部５０は、風速センサＳｅ５にダクト４４内の風速を検出させ、ダクト４４内の風速情報を取得する（ステップＳ１１）。
【００３７】
次に、制御部５０は、風速情報に基づいて、ダクト４４内の風速が所定風速以下であるか否かを判定する（ステップＳ１２）。ステップＳ１２では、排気口１６の前に障害物が存在しているために、本体１２内の空気が排出されず、本体１２内の風速が低下しているか否かが判定されている。所定風速以下である場合には、本処理はステップＳ１３に進む。所定風速以下でない場合には、本処理は終了する。
【００３８】
所定風速以下である場合、制御部５０は、排気口１６が向いている方向を変更すべき旨を表示部２０に表示させる（ステップＳ１３）。応じて、ユーザは、回転体１４を回転させて、排気口１６が向いている方向を変更する。この後、本処理は終了する。
【００３９】
第２の動作によれば、排気口１６の前に障害物が存在するために、本体１２内の温度が上昇することが抑制されるようになる。
【００４０】
（画像形成装置の第３の動作）
次に、画像形成装置１０の第３の動作について図面を参照しながら説明する。図８は、画像形成装置１０の第３の動作において制御部５０が行う動作を示したフローチャートである。
【００４１】
制御部５０は、障害物センサＳｅ１，Ｓｅ２に背面Ｓ２又は右面Ｓ３に対向する障害物の有無を検出させ、障害物情報を取得する（ステップＳ２１）。
【００４２】
次に、制御部５０は、障害物情報に基づいて、背面Ｓ２又は右面Ｓ３に対向する障害物の有無を判定する（ステップＳ２２）。障害物が有る場合には、本処理はステップＳ２３に進む。障害物がない場合には、本処理は終了する。
【００４３】
障害物がある場合には、制御部５０は、位置センサＳｅ３に排気口１６が向いている方向を検出させ、方向情報を取得する（ステップＳ２３）。
【００４４】
次に、制御部５０は、障害物情報及び方向情報に基づいて、背面Ｓ２又は右面Ｓ３に対向する障害物が存在し、かつ、排気口１６が向いている方向が背面Ｓ２又は右面Ｓ３の法線方向であるか否かを判定する（ステップＳ２４）。すなわち、ステップＳ２４では、排気口１６の前に障害物が存在し、排気が邪魔されているか否かが判定されている。背面Ｓ２又は右面Ｓ３に対向する障害物が存在し、かつ、排気口１６が向いている方向が背面Ｓ２又は右面Ｓ３の法線方向である場合には、本処理はステップＳ２５に進む。背面Ｓ２又は右面Ｓ３に対向する障害物が存在せず、又は、排気口１６が向いている方向が背面Ｓ２又は右面Ｓ３の法線方向ではない場合には、本処理は終了する。
【００４５】
背面Ｓ２又は右面Ｓ３に対向する障害物が存在し、かつ、排気口１６が向いている方向が背面Ｓ２又は右面Ｓ３の法線方向である場合、制御部５０は、排気口１６が向いている方向を変更すべき旨を表示部２０に表示させる（ステップＳ２５）。応じて、ユーザは、回転体１４を回転させて、排気口１６が向いている方向を変更する。この後、本処理は終了する。
【００４６】
第３の動作によれば、排気口１６の前に障害物が存在するために、本体１２内の温度が上昇することが抑制されるようになる。
【００４７】
（画像形成装置の第４の動作）
次に、画像形成装置１０の第４の動作について図面を参照しながら説明する。図９は、画像形成装置１０の第４の動作において制御部５０が行う動作を示したフローチャートである。
【００４８】
制御部５０は、フィルタ２８が交換されるか否かを判定する（ステップＳ３１）。ステップＳ３１は、ユーザが表示部２０によりフィルタ２８の交換開始の操作を行ったか否かに基づいて判定される。交換される場合には、本処理はステップＳ３２に進む。交換されない場合には、本処理はステップＳ３１に戻る。
【００４９】
交換される場合、制御部５０は、障害物センサＳｅ１，Ｓｅ２に背面Ｓ２又は右面Ｓ３に対向する障害物の有無を検出させ、障害物情報を取得する（ステップＳ３２）。
【００５０】
次に、制御部５０は、障害物情報に基づいて、背面Ｓ２又は右面Ｓ３に対向する障害物の有無を判定する（ステップＳ３３）。障害物が有る場合には、本処理はステップＳ３４に進む。障害物がない場合には、本処理は終了する。
【００５１】
障害物がある場合には、制御部５０は、位置センサＳｅ３に着脱口１８が向いている方向を検出させ、方向情報を取得する（ステップＳ３４）。
【００５２】
次に、制御部５０は、障害物情報及び方向情報に基づいて、背面Ｓ２又は右面Ｓ３に対向する障害物が存在し、かつ、着脱口１８が向いている方向が背面Ｓ２又は右面Ｓ３の法線方向であるか否かを判定する（ステップＳ３５）。すなわち、ステップＳ３５では、着脱口１８の前に障害物が存在し、排気が邪魔されているか否かが判定されている。背面Ｓ２又は右面Ｓ３に対向する障害物が存在し、かつ、着脱口１８が向いている方向が背面Ｓ２又は右面Ｓ３の法線方向である場合には、本処理はステップＳ３６に進む。背面Ｓ２又は右面Ｓ３に対向する障害物が存在せず、又は、着脱口１８が向いている方向が背面Ｓ２又は右面Ｓ３の法線方向ではない場合には、本処理は終了する。
【００５３】
背面Ｓ２又は右面Ｓ３に対向する障害物が存在し、かつ、着脱口１８が向いている方向が背面Ｓ２又は右面Ｓ３の法線方向である場合、制御部５０は、着脱口１８が向いている方向を変更すべき旨を表示部２０に表示させる（ステップＳ３６）。応じて、ユーザは、回転体１４を回転させて、着脱口１８が向いている方向を変更する。この後、本処理は終了する。
【００５４】
第４の動作によれば、フィルタ２８の交換を容易に行うことができる。
【００５５】
（画像形成装置の第５の動作）
次に、画像形成装置１０の第５の動作について図面を参照しながら説明する。図１０は、スキャナ１００が装着された画像形成装置１０の外観斜視図である。図１１は、画像形成装置１０の第５の動作において制御部５０が行う動作を示したフローチャートである。
【００５６】
図１０に示すように、画像形成装置１０の上側には、外部装置であるスキャナ１００が取り付けられる。
【００５７】
まず、制御部５０は、位置センサＳｅ３に排気口１６が向いている方向を検出させ、方向情報を取得する（ステップＳ４１）。
【００５８】
次に、制御部５０は、方向情報に基づいて、排気口１６が向いている方向にスキャナ１００が位置しているか否かを判定する（ステップＳ４２）。すなわち、制御部５０は、排気口１６が上側を向いていることにより、スキャナ１００により排気が邪魔されているか否かを判定する。排気口１６が向いている方向にスキャナ１００が位置している場合には、本処理はステップＳ４３に進む。排気口１６が向いている方向にスキャナ１００が位置していない場合には、本処理は終了する。
【００５９】
排気口１６が向いている方向にスキャナ１００が位置している場合、制御部５０は、排気口１６が向いている方向を変更すべき旨を表示部２０に表示させる（ステップＳ４３）。応じて、ユーザは、回転体１４を回転させて、排気口１６が向いている方向を変更する。この後、本処理は終了する。
【００６０】
第５の動作によれば、排気口１６の前にスキャナ１００が存在するために、本体１２内の温度が上昇することが抑制されるようになる。
【００６１】
（効果）
本実施形態に係る画像形成装置１０によれば、いずれの方向に排気を行っているのかを視認できる。より詳細には、画像形成装置１０では、排気口１６が設けられた回転体１４が本体１２に対して回転することができる。そのため、排気口１６が向いている方向を切り替えることができる。これにより、排気口１６の前に障害物がある場合に、排気口１６が向いている方向を切り替えて、排気を行っている方向を切り替えることが可能である。そして、画像形成装置１０では、排気口１６が回転体１４に設けられているので、ユーザは、排気口１６が向いている方向を確認することにより、排気を行っている方向を確認できる。
【００６２】
また、画像形成装置１０によれば、特許文献１に記載の画像形成装置において必要であった整流板が不要である。よって、画像形成装置１０では、部品点数を削減できる。
【００６３】
（変形例）
以下に、変形例に係る画像形成装置の構成について図面を参照しながら説明する。図１２は、変形例に係る画像形成装置１０ａの分解斜視図である。図１３は、変形例に係る画像形成装置１０ａの右後ろの上側に位置する角部近傍の断面構造図である。
【００６４】
画像形成装置１０ａは、本体１２にダクト７０及び係止部７２が設けられている点、及び、回転体１４にダクト６０が設けられている点において、画像形成装置１０と相違する。以下に、かかる相違点を中心に画像形成装置１０ａについて説明する。
【００６５】
回転体１４は、直角二等辺三角形状をなす面Ｓ１１〜Ｓ１３及び正三角形状をなす開口面により構成される四面体をなしている。すなわち、画像形成装置１０ａの回転体１４は、正三角形状の面Ｓ１４が設けられていない点において、画像形成装置１０の回転体と相違する。更に、回転体１４において、面Ｓ１１〜Ｓ１３により構成される角には、孔Ｈが設けられている。また、ダクト６０は、回転体１４内部に設けられている筒であり、排気口１６に繋がっている。
【００６６】
ダクト７０は、本体１２には、開口面と対向する面Ｓ４の重心を通過する面Ｓ４の法線に沿って面Ｓ４から延在する筒である。ただし、係止部７２がダクト７０の先端に設けられているので、ダクト７０の先端は開口していない。また、ダクト７０の側面には、開口７４，７６，７８が設けられている。開口７４は、後ろ側を向いている。開口７６は、上側を向いている。開口７８は、右側を向いている。
【００６７】
また、ダクト７０は、回転体１４を貫通している。そして、係止部７２は、孔Ｈを介して回転体１４外に突出している。すなわち、ダクト７０は、回転体１４の支軸の役割を果たしている。これにより、回転体１４は、面Ｓ１１〜Ｓ１３により構成される角と開口面の重心とを結ぶ線（すなわち、面Ｓ４の重心を通過する面Ｓ４の法線）を中心軸として本体１２に対して回転可能に取り付けられている。
【００６８】
また、回転体１４が回転させられることにより、開口７４，７６，７８のいずれかとダクト６０との接続が切り替えられる。具体的には、排気口１６が後ろ側を向いた状態では、ダクト６０は、開口７４に接続される。排気口１６が上側を向いた状態では、ダクト６０は、開口７６に接続される。排気口１６が右側を向いた状態では、ダクト６０は、開口７８に接続される。これにより、排気が行われる方向が切り替えられる。
【００６９】
以上のように構成された画像形成装置１０ａによれば、画像形成装置１０と同様に、いずれの方向に排気を行っているのかを視認できる。
【００７０】
（その他の実施形態）
本発明に係る画像形成装置は、前記画像形成装置１０，１０ａに限らずその要旨の範囲内において変更可能である。
【００７１】
なお、回転体１４は、四面体以外の形状をなしていてもよい。したがって、回転体１４は、例えば、半球状をなしていてもよいし、円筒形状をなしていてもよい。
【００７２】
また、回転体１４が設けられる位置は、上面Ｓ１、背面Ｓ２及び右面Ｓ３により構成される角部以外の角部であってもよい。回転体１４は、上面Ｓ１、上面Ｓ１に隣接する第２の面及び上面Ｓ１と第２の面に隣接する第３の面により構成される角部に設けられていればよい。
【００７３】
なお、画像形成装置１０，１０ａにおいて、回転体１４に、排気口１６の代わりに吸気口が設けられていてもよい。
【産業上の利用可能性】
【００７４】
以上のように、本発明は、画像形成装置に有用であり、特に、いずれの方向に排気を行っているのかを視認できる点で優れている。
【符号の説明】
【００７５】
Ｓ１  上面
Ｓ２  背面
Ｓ３  右面
Ｓ１１〜Ｓ１４  面
Ｓｅ１，Ｓｅ２  障害物センサ
Ｓｅ３  位置センサ
Ｓｅ４  温度センサ
Ｓｅ５  風速センサ
１０，１０ａ  画像形成装置
１２  本体
１４  回転体
１６  排気口
１８  着脱口
２０  表示部
２４，４６，７４，７６，７８  開口
２６，４４，６０，７０  ダクト
２８  フィルタ
４０  吸気部
４２  発熱体
５０  制御部
７２  係止部
１００  スキャナ
【図１】
2014232187.tif 000003
【図２】
2014232187.tif 000004
【図３】
2014232187.tif 000005
【図４】
2014232187.tif 000006
【図５】
2014232187.tif 000007
【図６】
2014232187.tif 000008
【図７】
2014232187.tif 000009
【図８】
2014232187.tif 000010
【図９】
2014232187.tif 000011
【図１０】
2014232187.tif 000012
【図１１】
2014232187.tif 000013
【図１２】
2014232187.tif 000014
【図１３】
2014232187.tif 000015